(57)【要約】【課題】載置状態のままでケーブルの長さを調整することができるディスプレイを提供する。【解決手段】ディスプレイ本体を支持するスタンドは、ケーブルの一部を収納する空間を囲む枠状の台座と、取付け部およびボビン部を有した支持ヘッドと、周方向の回転が可能に台座に支持される手動巻取りリングとを備える。手動巻取りリングは、下面側に配置されて当該手動巻取りリングの回転に伴ってボビン部の周りを移動する突起を有する。台座は、ケーブルを前記突起の移動経路を横切って当該台座から外部へ延びるように配置するためのケーブル案内部を有する。【選択図】図５
2010286771.tif 000002
【特許請求の範囲】
【請求項１】
電気機器における電気機器本体を支持する電気機器用スタンドであって、
前記電気機器本体から延びるケーブルの一部を収納する空間を囲む枠状の台座と、
前記電気機器本体が取り付けられる取付け部および前記空間内に配置されるボビン部を有し、かつ前記台座に組み付けられる支持ヘッドと、
前記台座と前記支持ヘッドとに部分的に挟まれ、周方向の回転が可能に前記台座に支持される手動巻取りリングと、を備え、
前記手動巻取りリングは、下面側に配置されて当該手動巻取りリングの回転に伴って前記空間内の前記ボビン部の周りを移動する突起を有し、
前記台座は、前記ケーブルを前記突起の移動経路を横切って当該台座から外部へ延びるように配置するためのケーブル案内部を有する
ことを特徴とする電気機器用スタンド。
【請求項２】
前記支持ヘッドは前記台座に対する双方向の回転が可能である
請求項１記載の電気機器用スタンド。
【請求項３】
前記支持ヘッドは、前記手動巻取りリングの内周面および下面に当接するフックを有し、当該フックによって前記手動巻取りリングに対する回転が可能に前記手動巻取りリングに組み付けられる
請求項２記載の電気機器用スタンド。
【請求項４】
前記台座は、前記空間の上方に配置されて内側を前記支持ヘッドのボビン部が通る環状の上板部を有し、
前記手動巻取りリングは、前記上板部の内周面および下面に当接するフックを有し、当該フックによって前記台座に組み付けられる
請求項１ないし請求項３のいずれかに記載の電気機器用スタンド。
【請求項５】
前記台座と前記手動巻取りリングとの間に介在する第１の滑りリングと、
前記手動巻取りリングと前記支持ヘッドの間に介在する第２の滑りリングとをさらに備える
請求項１ないし請求項４のいずれかに記載の電気機器用スタンド。
【請求項６】
前記手動巻取りリングの上面は、周方向に沿って凸部と凹部が並ぶ手動回転用の起伏を有する
請求項１ないし請求項５のいずれかに記載の電気機器用スタンド。
【請求項７】
前記台座に対する前記手動巻取りリングの回転の可否を決める回転止め機構を有する
請求項１ないし請求項６のいずれかに記載の電気機器用スタンド。
【請求項８】
前記回転止め機構は、
前記手動巻取りリングの下面側に周方向に沿って間隔を設けて配置された多数の壁状部と、
前記壁状部に当接する作用位置と前記壁状部に当接しない退避位置との間の双方向の移動が可能なように、前記台座に支持されるストッパとを備える
請求項７記載の電気機器用スタンド。
【請求項９】
前記支持ヘッドは、前記取付け部の前記台座に対する傾き角度の増減を可能にするチルト機構を備える
請求項１ないし請求項８のいずれかに記載の電気機器用スタンド。
【請求項１０】
ディスプレイ本体、前記ディスプレイ本体を支持するスタンド、および一端が前記ディスプレイ本体に接続される信号ケーブルを備えたディスプレイであって、
前記スタンドは、
前記信号ケーブルを部分的に収納する空間を囲む枠状の台座と、
前記ディスプレイ本体が取り付けられる取付け部および前記空間内に配置されるボビン部を有し、かつ前記台座に組み付けられる支持ヘッドと、
前記台座と前記支持ヘッドとに部分的に挟まれて周方向の回転が可能に支持される手動巻取りリングとを備えており、
前記手動巻取りリングは、下面側に配置されて当該手動巻取りリングの回転に伴って前記空間内の前記ボビン部の周りを移動する突起を有し、
前記台座は、前記信号ケーブルおよび電源コードを前記突起の移動経路を横切って当該台座から外部へ延びるように配置するためのケーブル案内部を有する
ことを特徴とするディスプレイ。
【請求項１１】
前記支持ヘッドは前記信号ケーブルの貫通が可能な開口部を有しており、
前記信号ケーブルが、前記支持ヘッドの開口部、前記手動巻取りリングの内側、前記空間、および前記台座のケーブル案内部を通る
請求項１０記載のディスプレイ。
【請求項１２】
前記ディスプレイ本体につながる電源コードをさらに備え
前記信号ケーブルおよび前記電源コードが、前記支持ヘッドの開口部、前記手動巻取りリングの内側、前記空間、および前記台座のケーブル案内部を通る
請求項１１記載のディスプレイ。
【発明の詳細な説明】
【技術分野】
【０００１】
本発明は、電気機器用スタンドおよびディスプレイに関する。
【背景技術】
【０００２】
コンピュータのモニター装置として載置型のディスプレイが用いられている。通常の使用に際してデスクやテーブルといった支持体の上に置かれるこの種のディスプレイは、ディスプレイ本体とそれを支持するスタンドとを備える。ディスプレイ本体は、液晶パネルに代表されるディスプレイデバイスとそれを駆動するための電気回路とがハウジングに収まったユニットである。スタンドはディスプレイ本体を載置面の上方の所定高さ位置に配置する。一般に、コンピュータ用のディスプレイには、画面の向きの調整を可能にするスイーベル機能およびチルト機能を有したスタンド（例えば特許文献１）が組み付けられている。
【０００３】
ディスプレイは信号ケーブルを介して信号源であるコンピュータと接続される。典型的な信号ケーブルの長さは１〜１．５ｍ程度である。ディスプレイ周辺のケーブル配置を整然とさせる上では信号ケーブルの長さが必要最小限であるのが望ましい。しかし、実際にはディスプレイとコンピュータとの距離と比べて信号ケーブルが長過ぎるという場合がしばしば発生する。
【０００４】
一方、電源コードの収納が可能な家電製品や電子機器は数多く存在する。例えば、家庭用掃除機は数メートルの電源コードを巻き取って収納する機械式の巻取り機構を内蔵している。また、手動で巻き取る例としては、スタンドベースの底面側に収納空間を有する扇風機の開示がある（特許文献２）。この扇風機のスタンドベースは底板を有しておらず、扇風機自体を持ち上げたときに巻取りのボビンとなる締め付けナットとその周りの収納空間とが露出して巻取り作業を行うことができるように構成されている。
【先行技術文献】
【特許文献】
【０００５】
【特許文献１】特許第３５１１５０６号公報
【特許文献２】特開２００８−３１９３５号公報
【発明の概要】
【発明が解決しようとする課題】
【０００６】
ディスプレイから延びる信号ケーブルの外部に露出する引出し部分の長さが可変であれば、整然としたケーブル配線を実現することができる。生産コストの観点では手動で長さ調整をする構成が有利である。ただし、ディスプレイを持ち上げなければ調整ができないような構成は不便であり、落下のおそれがあることからも好ましくない。本発明の目的は、電気機器を持ち上げたり傾けたりせずに載置状態のままで電気機器から外部へ延びるケーブルの長さを調整することができる新規の電気機器を提供することである。
【課題を解決するための手段】
【０００７】
上記目的を解決するスタンドは、電気機器における電気機器本体を支持する電気機器用スタンドであって、前記電気機器本体から延びるケーブルの一部を収納する空間を囲む枠状の台座と、前記電気機器本体が取り付けられる取付け部および前記空間内に配置されるボビン部を有し、かつ前記台座に組み付けられる支持ヘッドと、前記台座と前記支持ヘッドとに部分的に挟まれ、周方向の回転が可能に前記台座に支持される手動巻取りリングと、を備える。前記手動巻取りリングは、下面側に配置されて当該手動巻取りリングの回転に伴って前記空間内の前記ボビン部の周りを移動する突起を有し、前記台座は、前記コードを前記突起の移動経路を横切って当該台座から外部へ延びるように配置するためのコード案内部を有する。
【０００８】
「下面側」という用語は、スタンドを支持面上に載置する通常の使用状態における「支持面に近い側」を意味する。
【発明の効果】
【０００９】
電気機器を持ち上げたり傾けたりせずに載置状態のままで電気機器から外部へ延びるコードの長さを調整することが可能になる。
【図面の簡単な説明】
【００１０】
【図１】ディスプレイの外観を示す斜視図である。
【図２】スタンドの外観を示す前方斜め上方からみた斜視図である。
【図３】スタンドの構成を示す図２のａ−ａ矢視断面図である。
【図４】スタンドの構成を示す図２のｂ−ｂ矢視断面図である。
【図５】スタンドの構成を示す後方斜め上方からみた分解斜視図である。
【図６】スタンドの構成を示す後方斜め下方からみた分解斜視図である。
【図７】ケーブル収納の前後の様子を示すスタンドを後方斜め下方からみた分解斜視図である。
【図８】回転止め機構の構成を示すスタンドの部分拡大図である。
【図９】回転止め機構の構成を示すスタンドの部分拡大図である。
【図１０】ケーブル収納の手順の例を示す模式図である。
【図１１】ケーブル収納の他の例を示す模式図である。
【発明を実施するための形態】
【００１１】
図１に電気機器として例示されるディスプレイ１はコンピュータの周辺機器として提供される液晶ディスプレイである。図１では支持体の上に置かれた状態のディスプレイ１を前方斜め上方からみたときのディスプレイ１の外観が描かれている。以下の説明において、ディスプレイ１は実質的に水平な載置面（支持体の上面）の上に置かれるものとする。水平方向とは載置面と平行な方向を意味する。また、ディスプレイ１は図示しないパーソナルコンピュータに接続されて使用されるものとする。ただし、ディスプレイ１に映像信号を与える信号源は、コンピュータに限定されず、ＡＶ（Audio Visual）機器、ゲーム機または他の機器でもよい。
【００１２】
ディスプレイ１は、ディスプレイ本体２、ディスプレイ本体２を支持するスタンド３、ディスプレイ本体２を信号源であるパーソナルコンピュータに接続するための信号ケーブル４、およびディスプレイ本体２を電源に接続するための電源コード５を備える。ディスプレイ本体２は液晶パネル２０をハウジングに組み付けたユニットであり、液晶パネル２０を駆動するための回路基板を内蔵する。スタンド３はスイーベル機構およびチルト機構を有し、さらに信号ケーブル４および電源コード５の引出し長さの調整を可能にする手動巻取り機構を有する。スタンド３とディスプレイ本体２の下端との間には、手動巻取り機構の操作に必要な空隙が存在する。スタンド３の構造の詳細については後述する。信号ケーブル４の一端は、ディスプレイ本体２の背面にコネクタによって接続されている。電源コード５は、その先端をディスプレイ本体２の背面に設けられたコンタクト部に差し込むことによってディスプレイ本体２につながっている。ただし、電源コード５の一端をディスプレイ本体２の内部で固定して外部へ電源コード５を引き出してもよい。
【００１３】
図２のとおり、スタンド３は、外形が略四角形の台座３１と、台座３１に組み付けられた外形が略円形の支持ヘッド３２と、支持ヘッド３２よりも外径が大きい円形の手動巻取りリング３３とを備える。台座３１および手動巻取りリング３３は樹脂製であり、支持ヘッド３２は樹脂製部品と金属部品とで構成される。手動巻取りリング３３はそれの周方向の回転が可能なように台座３１に組み付いている。支持ヘッド３２は、水平面内の所定角度範囲の回転が可能に手動巻取りリング３３に組み付き、それによって間接的に台座３１に組み付いている。スタンド３は、支持ヘッド３２および手動巻取りリング３３が台座３１に対して独立に回転することのできる２重回転構造を有する。
【００１４】
支持ヘッド３２の上側部分がディスプレイ本体２の取り付けられる取付け部３２Ａである。支持ヘッド３２は垂直面内の所定角度範囲の回転が可能に配置されたチルト金具３２１を有している。このチルト金具３２１をディスプレイ本体２の背面にねじ止めすることによって、スタンド３とディスプレイ本体２とが組み付けられる。
【００１５】
スタンド３は図３および図４に示されるようにその内部を信号ケーブル４が通るように構成されている。台座３１は図６によく示されるように環状の部材の底面側をくり抜いたような形状に成形されており、支持ヘッド３２は信号ケーブル４が貫通する開口部３２２を有する。ディスプレイ本体２から延びる信号ケーブル４は、支持ヘッド３２の開口部３２２および手動巻取りリング３３の内側を通って台座３１の底面側の空間Ｓ（図３、図４参照）に入る。そして、信号ケーブル４は台座３１の背面から外部へ引き出される。
【００１６】
手動巻取りリング３３は、スタンド３から引き出された信号ケーブル４の引出し長さの調整に用いられる。ディスプレイ１のユーザまたは他の者が手動巻取りリング３３を回転させると、引き出されている信号ケーブル４が台座３１で囲まれる空間Ｓ内に引き込まれる。それによって引出し長さは減る。本例において、手動巻取りリング３３を回転させる方向は右回りおよび左回りのいずれでもよい。引き込んだときと逆の方向に手動巻取りリング３３を回転させると、信号ケーブル４はスタンド３から押し出される。それによって引出し長さは増える。引出し長さを調整した後、台座３１の前側部分にあるストッパ４５を操作して手動巻取りリング３３の回転止めをすると、調整した状態が保持される。
【００１７】
手動巻取りリング３３を回転させる操作の便宜のため、手動巻取りリング３３の上面には周方向に細長い複数の突起３３１が設けられている。突起３３１は周方向に沿って等間隔に配置され、全周にわたって凸部と凹部とが並ぶ手動回転用の起伏を形成する。手動巻取りリング３３を使用しない時に目立たないように、突起３３１の高さは数ｍｍ程度とされかつ配置位置は支持ヘッド３２に近い内側部分に選定されている。操作者は、突起３３１に指を引っ掛けることにより、手動巻取りリング３３に適度の力を容易に加えることができる。
【００１８】
スタンド３の構造の詳細が図５および図６に示される。
【００１９】
図５を参照して、台座３１は樹脂成形によって作製された枠状の部材であり、ほぼ中央に大きな円形の穴の開いた上板部３１Ａと上板部３１Ａに一体化した側板部３１Ｂとを有する。上板部３１Ａの内縁の近傍は全周にわたって窪んでおり、それによって円環状の凹部３１１が形成されている。凹部３１１の外径は手動巻取りリング３３の外径に１ｍｍ以下のクリアランスを加えた値に選定されている。この凹部３１１に入り込むように第1の滑りリング３４と手動巻取りリング３３とが配置される。凹部３１１は台座３１に対する手動巻取りリング３３の水平方向の位置を決める。また、上板部３１Ａにはストッパ４５を位置決めする凹部３１２が形成されている。一方、側板部３１Ｂはケーブル案内部として設けられた引出し口３１５を有する。引出し口３１５は、スタンド３における背面側の左右方向の中央に設けられている。
【００２０】
手動巻取りリング３３の上面における内縁の近傍は、円環状の凹部３３２を形成するように全周にわたって窪んでいる。凹部３１１の外径は支持ヘッド３２の外径に１ｍｍ以下のクリアランスを加えた値に選定されている。この凹部３３２に入り込むように第２の滑りリング３５と支持ヘッド３２とが配置される。凹部３３２は手動巻取りリング３３に対する支持ヘッド３２の水平方向の位置を決める。
【００２１】
本例において、台座３１、手動巻取りリング３３および支持ヘッド３２における樹脂製部品の材質はＡＢＳ（acrylonitrile butadiene styrene copolymer）である。台座３１と手動巻取りリング３３との間に介在する第１の滑りリング３４および手動巻取りリング３３と支持ヘッド３２との間に介在する第２の滑りリング３４の材質はＰＯＭ（polyoxymethylene）である。滑りリング３４，３５は、手動巻取りリング３３および支持ヘッド３２の回転を円滑にする。
【００２２】
図６を参照して、支持ヘッド３２の下面（図６では上に向いている）は４本の円柱状突起３２４を有する。円柱状突起３２４は支持ヘッド３２の回転軸を中心とした点対称位置に配置され、四角形のボビン部３２Ｂを構成する。円柱状突起３２４は、支持ヘッド３２を台座３１に組み付けた状態において台座３１の側板部３１Ｂが囲むケーブル収納のための空間Ｓ内に突き出る。すなわち、ボビン部３２Ｂが側板部３１Ｂの内側の空間Ｓに配置される。
【００２３】
また、支持ヘッド３２の下面は、円柱状突起３２４の外側で周方向にほぼ等間隔に並ぶ複数のフック３２５を有する。例示ではフック３２５の個数は４である。フック３２５は支持ヘッド３２を手動巻取りリング３３に組み付けた状態において手動巻取りリング３３の内周面および下面に当接する。フック３２５が手動巻取りリング３３の下面に引っ掛かることによって、支持ヘッド３２が手動巻取りリング３３に組み付く。複数のフック３２５がそれぞれ手動巻取りリング３３の異なる箇所に引っ掛かるので、手動巻取りリング３３に組み付いた支持ヘッド３２を持ち上げても外れない。複数のフック３２５が互いに分断されているので、組み付けに際して各フック３２５が適度に撓む。組み付けの作業性が良い。
【００２４】
なお、支持ヘッド３２の下面には突部３２６，３２７および壁部３２８が形成されている。突部３２６，３２７は外端位置に配置され、その頂面が第２の滑りリング３５と当接する。突部３２６，３２７は支持ヘッド３２と滑りリング３５との接触面積を決める。壁部３２８は、フック３２５が並ぶ円周上の位置に配置され、手動巻取りリング３３の内周面に当接する。壁部３２８はフック３２５に加わる水平方向の力を軽減する。
【００２５】
手動巻取りリング３３の下面（図６では上に向いている）は、１本の円柱状突起３３４を有する。円柱状突起３３４は、支持ヘッド３２のボビン部３２Ｂに信号ケーブルを巻き付けるための要素である。円柱状突起３３４は、手動巻取りリング３３および支持ヘッド３１を台座３１に組み付けた状態において、台座３１の側板部３１Ｂの内側の空間Ｓ内に突き出る。そして、その突き出る位置は支持ヘッド３１のボビン部３２Ｂの外側である。手動巻取りリング３２の回転に伴って、円柱状突起３３４はボビン部３２Ｂの周りを円を描くように移動する。
【００２６】
また、手動巻取りリング３３の下面は複数のフック３３５を有する。例示ではフック３３５の個数は４である。フック３３５は、円柱状突起３３４の外端より若干外側に配置され、周方向にほぼ等間隔に並ぶ。フック３３５は手動巻取りリング３３を台座３１に組み付けた状態において台座３１の内周面および下面に当接する。フック３３５が台座３１の下面に引っ掛かることによって、手動巻取りリング３３が支持ヘッド３２に組み付く。複数のフック３３５がそれぞれ台座３１の異なる箇所に引っ掛かるので、台座３１に組み付いた手動巻取りリング３３を持ち上げても台座３１から外れない。
【００２７】
さらに、手動巻取りリング３３の下面は回転止めのための多数の壁状部３３７を有する。壁状部３３７は、円周をほぼ均等に分割する形で周方向に沿って並ぶように、フック３３５に対する内側に間隔を設けて配置されている。配列間隔はストッパ４５の幅よりも大きい。
【００２８】
台座３１の下面（図６では上に向いている）は、リブ３１６および複数の支柱３１７を有する。リブ３１６は上板部３１Ａを補強する。支柱３１７のそれぞれの下端にはゴム足３１８が取り付けられている。スタンド３の使用時において、ゴム足３１８が載置面に当接し、側板部３１Ｂの下端は僅かに載置面から離れる。
【００２９】
再び図５を参照してスタンド３の組み立て手順の一例を説明する。（１）台座３１の凹部３１３の中にストッパ４５を置き、凹部３１１の上に滑りリング３４および手動巻取りリング３３を順に重ねる。先に滑りリング３４を手動巻取りリング３３に取り付け、その状態の手動巻取りリング３３を凹部３１１の上に重ねてもよい。滑りリング３４は周の一箇所が切れているので、輪を少し拡げてフック３３５（図５参照）に引っ掛かるように手動巻取りリング３３の下面側に滑りリング３４を組み付けることができる。（２）滑りリング３４を挟んで台座３１に重なる手動巻取りリング３３をフック３３５が台座３１の下面に引っ掛かるように押し付け、手動巻取りリング３３を台座３１に組み付ける。（３）図５では図示しない信号ケーブル４を、台座３１、滑りリング３４、手動巻取りリング３３、および滑りリング３４の内側に通す。さらに、支持ヘッド３２を手動巻取りリング３３に組み付ける前に、支持ヘッド３２の開口部３２２に信号ケーブル４を通しておく。開口部３２２が信号ケーブル４の両端のコネクタの通らない大きさに選定されているからである。信号ケーブル４を通す方向は、ディスプレイ本体２に接続する側が開口部３２２より上でありかつ信号源に接続する側が台座３１の下になるのであれば、上から下への方向でもその逆でもよい。例えば、信号ケーブル４の一端をディスプレイ本体２に接続した状態でスタンド３を組み立てる場合は、開口部３２２から台座３１へと上から下へ通せばよい。（４）台座３１への手動巻取りリング３３の組み付けと同様の要領で、滑りリング３５を挟むように支持ヘッド３２を手動巻取りリング３３に組み付ける。
【００３０】
このようにスタンド３は簡単な作業で組み立てることができる。ねじ止めはなく工具は不要である。２０〜３０秒の時間内の組み立ても可能である。
【００３１】
図７にはスタンド３におけるケーブル収納の様子が示されている。ディスプレイ１が支持体の上に置かれる使用状態において、信号ケーブル４は図７（Ａ）のようにスタンド３の背面に有る引出し口３１５から引き出される。これにより、信号ケーブル４はスタンド３の内部において手動巻取りリング３３の円柱状突起３３４が移動する経路を横切るように配置されることになる。手動巻取りリング３３が回転して円柱状突起３３４が移動すると、信号ケーブル４に円柱状突起３３４が当接する。このとき、手動巻取りリング３３を回転させる操作者はディスプレイ本体２を押さえておく。これにより支持ヘッド３２は台座３１に対して回転しない。円柱状突起３３４のさらなる移動に伴って、信号ケーブル４の引き出されている部分が台座３１の内側へ引き込まれ、図７（Ｂ）のように支持ヘッド３２の柱状突起３２４に巻かれる。
【００３２】
スタンド３においては、手動巻取りリング３３自体ではなくその内側の柱状突起３２４にケーブルを巻き付ける。これによりケーブルを収納する台座３１がコンパクトでかつスイーベル機能をもつスタンド３が得られる。
【００３３】
図８および図９を参照して回転止めの操作要領を説明する。手動巻取りリング３３を回転させるとき、操作者は図８（Ａ）のようにストッパ４５をその移動範囲内の手前側の位置である退避位置にセットする。これにより図８（Ｂ）のようにストッパ４５は手動巻取りリング３３の壁状部３３７と当接しない。このとき、図８（Ｃ）のようにストッパ４５の下面に在る２個の窪み４５５，４５６のうちの一方である窪み４５６に、台座３１のストッパ４５を支持する部分に在る突起３１３が入り込む。これにより、操作によらないストッパ４５の移動が抑止される。
【００３４】
手動巻取りリング３３の自由回転を防ぐとき、操作者は図９（Ａ）のようにストッパ４５をその移動範囲内の後ろ側の位置である作用位置にセットする。これにより図９（Ｂ）のようにストッパ４５が手動巻取りリング３３の壁状部３３７と当接し、手動巻取りリング３３が回転できない状態となる。このとき、図９（Ｃ）のようにストッパ４５の下面に在る窪み４５５に台座３１の突起３１３が入り込む。これにより、操作によらないストッパ４５の移動が抑止され、そのときの信号ケーブル４の収納状態が保持される。
【００３５】
手動巻取りリング３３の回転がストッパ４５によって止められた状態であってもスイーベル機能は失われない。例えば、図７（Ｂ）のようにまたは図示よりも多く信号ケーブル４が巻かれていても、信号ケーブル４に可撓性があるので、ディスプレイ本体２を左右それぞれ２０度程度の角度範囲で回転させることは可能である。さらに、スイーベル回転可能な角度範囲を大きくしたい場合には、次のように巻き方を工夫すればよい。
【００３６】
図１０を参照して、左右９０度のスイーベル回転を可能にするケーブル収納の要領を説明する。まず、ディスプレイ本体２を図１０（Ａ）のように右または左に９０度回転させて真横に向ける。図では矢印Ｍ１の方向に回転して右向きにする例が示されている。図は下面側からみた様子を模式化しているので、矢印Ｍ１の方向の回転は実際にはディスプレイ１の前方からみてディスプレイ本体２を左に向ける回転である。次に、図１０（Ｂ）のように矢印Ｍ１の方向とは反対の矢印Ｍ２の方向に手動巻取りリング３３を回転させて信号ケーブル４を巻き取る。所望の引き出し長さになったところで巻き取りを終え、必要であれば上述のようにストッパ４５による回転止めを行う。最後に図１０（Ｃ）のように矢印Ｍ２の方向にディスプレイ本体２を回転させて正面を向いた状態に戻す。ディスプレイ本体２の向きを戻したとき、図１０（Ｄ）のように台座３１の内部で信号ケーブル４の巻き状態が緩み、信号ケーブル４にいわゆる遊び部分４Ｂが生じる。したがって、図１０（Ｄ）の状態において、矢印Ｍ１の方向の回転は遊び部分４Ｂを再び巻く回転であるので、ディスプレイ本体２を矢印Ｍ１の方向に９０度回転させるスイーベル操作が可能である。また、矢印Ｍ２の方向の回転は巻き状態を緩める回転であるので、ディスプレイ本体２を矢印Ｍ２の方向に９０度回転させるスイーベル操作も可能である。なお、左右それぞれ９０度の回転が可能なスイーベル機能は、例えば会議や商談に際して画面を複数の観察者が回し見るという場合に有用である。
【００３７】
図１１はスタンド３の使い方の変形例を示す。スタンド３は信号ケーブル４だけでなく信号ケーブル４および電源コード５の双方を部分的に収納することができる。スタンド３を組み立てる際に信号ケーブル４に沿ってスタンド３の内側を通るように電源コード５を配置すればよい。また、信号ケーブル４をスタンド３の内部を通らないように配線し、電源コード５をスタンド３の内部を通るようにし配線してもよい。さらに、ディスプレイ本体２に音声用コード、ＵＳＢケーブルまたはその他のコード類を接続する場合には、それらの一つまたは複数をスタンド３によって巻き取るようにしてもよい。
【００３８】
スタンド３は、電源用電線を内包した信号ケーブルを用いるシステムにおいても利用可能である。このシステムでは１本の信号ケーブルによってコンピュータとディスプレイとが接続される。ディスプレイ本体の動作に必要な電力はコンピュータから信号ケーブルを介して供給される。この場合の信号ケーブルの引き出し長さも上述のように手動巻取りリング３３の操作によって調整することができる。
【００３９】
以上の実施形態において、台座３１の平面サイズはディスプレイ本体２のサイズに応じて選定される。例えば、画面サイズが１５〜２０インチ程度のディスプレイ本体２であれば、台座３１は１６〜２０ｃｍ角程度の大きさであればよい。この大きさの台座３１は、直径８ｍｍ程度の一般的な信号ケーブルを５０ｃｍ以上巻き取って収納することが可能である。一般に用いられる信号ケーブル４の長さは約１．５ｍであるので、引出し長さの最大調整量が５０ｃｍ以上である収納能力は実用に適する。台座３１を大きくすれば、収納能力をより高めることができる。
【００４０】
上述の実施形態によれば、手動巻取りリング３３を双方向に回転させてもよいので、操作者の利き手が左右のいずれであっても不便なく手動巻取りリング３３を操作することができる。巻取り時の回転と一方向に限定する機構がないことは、構造の簡単化によるコスト低減に貢献する。ただし、巻取りの回転方向と巻き状態を緩める回転の方向とを限定してもよい。
【００４１】
上述の実施形態において、スタンド３を構成する複数の部材、すなわち、台座３１、支持ヘッド３２、手動巻取りリング３３および滑りリング３４，３５のそれぞれの形状、材質、寸法および構造は例示に限らない。例えば、ストッパ４５をスライドさせる代わりに上下に移動させてもよい。
【００４２】
また、２重回転構造の変形として、特許文献１の開示のように台座３１に底板を組み付け、底板に支持ヘッド３２を回転可能に取り付ける構成を採用してもよい。この構成では、手動巻取りリング３３の上下の位置決めをフック３３５によらずに台座３１と支持ヘッド３２とで挟むことにより実現することができる。
【００４３】
ディスプレイ１に限らず、外部へ延びるケーブルの接続される電気機器にスタンド３を取り付けて、ケーブルの引出し長さを調整することができる。
【符号の説明】
【００４４】
１    ディスプレイ（電気機器）
２    ディスプレイ本体（電気機器本体）
３    スタンド
４    信号ケーブル（ケーブル）
Ｓ    空間
３１    台座
３１Ａ    上板部
３１Ｂ    側板部
３２    支持ヘッド
３２Ａ    取付け部
３２Ｂ    ボビン部
３３    手動巻取りリング
３３４    円柱状突起
３１５    引出し口（ケーブル案内部）
３２５    フック
３３５    フック
３４    第１の滑りリング
３２    第２の滑りリング
４５    ストッパ
３３７    壁状部
３２２    開口部
５    電源コード
【図１】
2010286771.tif 000003
【図２】
2010286771.tif 000004
【図３】
2010286771.tif 000005
【図４】
2010286771.tif 000006
【図５】
2010286771.tif 000007
【図６】
2010286771.tif 000008
【図７】
2010286771.tif 000009
【図８】
2010286771.tif 000010
【図９】
2010286771.tif 000011
【図１０】
2010286771.tif 000012
【図１１】
2010286771.tif 000013